(57)【要約】      （修正有）【課題】凸部に形成された指標部を略均一な明るさで透過照明できる表示装置を提供する。【解決手段】指針駆動部は、指針を回動させる回動軸を有する。表示板は、指針に指示される指標部４１が形成された凸部を有する。発光素子は、表示板を透過照明する照明光を発する。表示板は、凸部の裏面側に形成された反射層４８を有する。表示板の反射層４８は、指標部４１に照明光を通過させる開口部４８ａを有する。【選択図】図５
2016057096.tif 000002
【特許請求の範囲】
【請求項１】
指針と、前記指針を回動させる回動軸を有する指針駆動部と、前記指針に指示される指標部が形成された凸部を有する表示板と、前記表示板を透過照明する照明光を発する発光素子と、を備えた表示装置であって、
前記表示板は、前記凸部の裏面側に形成された反射層を有することを特徴とする表示装置。
【請求項２】
前記表示板の前記反射層は、前記指標部に前記照明光を通過させる開口部を有することを特徴とする請求項１に記載の表示装置。
【発明の詳細な説明】
【技術分野】
【０００１】
本発明は、発光素子が発した照明光により透過照明される表示板を備えた表示装置に関するものである。
【背景技術】
【０００２】
従来より、表示板に環状の凸部を設けた表示装置が種々提案されており、例えば特許文献１，特許文献２に開示されている。斯かる凸部は、表示板を絞り加工することによって形成される。表示板の凸部は、発光ダイオード等の発光素子によって透過照明される。
【先行技術文献】
【特許文献】
【０００３】
【特許文献１】特開２０１０−２２４３０２号公報
【特許文献２】特開２０１０−１２１９７３号公報
【発明の概要】
【発明が解決しようとする課題】
【０００４】
しかしながら、凸部の上端部分が比較的暗くなる虞があった。つまり、凸部を透過照明する照明光が上端部分に到達し難いため、凸部の上端部分の輝度が相対的に低いという問題を有していた。
本発明は、この問題に鑑みなされたものであり、凸部に形成された指標部を略均一な明るさで透過照明できる表示装置を提供するものである。
【課題を解決するための手段】
【０００５】
本発明は、指針１０と、前記指針１０を回動させる回動軸２２ａを有する指針駆動部２２と、前記指針１０に指示される指標部４１が形成された凸部４９を有する表示板４０と、前記表示板４０を透過照明する照明光を発する発光素子２４と、を備えた表示装置であって、前記表示板４０は、前記凸部４９の裏面側に形成された反射層４８を有するものである。
【０００６】
また、本発明は、前記表示板４０の前記反射層４８は、前記指標部４１に前記照明光を通過させる開口部４８ａを有するものである。
【発明の効果】
【０００７】
反射層によって照明光が反射されるので、凸部に設けられた指標部が略均一な明るさで透過照明される。
【図面の簡単な説明】
【０００８】
【図１】本発明の実施形態を示す断面図。
【図２】同上実施形態を示す正面図。
【図３】同上実施形態を示す要部断面図。
【図４】同上実施形態を示す要部拡大図。
【図５】同上実施形態を示す要部断面図。
【図６】同上実施形態を示す要部断面図。
【図７】本発明の他の実施形態を示す要部断面図。
【図８】比較例を示す要部断面図。
【発明を実施するための形態】
【０００９】
以下、添付図面に基づいて、本発明の一実施形態を説明する。車両用表示装置は、指針１０と、回路基板２０と、ケース体３０と、表示板４０と、液晶表示器５０と、後面カバー６０と、を備えている。
【００１０】
指針１０は、透光性樹脂からなる指示部１１と、不透明な樹脂からなる指針キャップ１２と、回動軸２２ａが圧入されるボス部１３と、指示部１１を載置する指針座１４とを有しており、後述する指標部４１，４２を指示部１１にて指示する。指針１０のボス部１３及び指針座１４は、白色樹脂にて一体形成されている。発光素子２５から発せられ、貫通孔２０ｃを通過した照明光は、ボス部１３及び指針座１４によって表示板２０の貫通孔４０ｃの近傍に反射される。回路基板２０は、基板本体２１と、基板本体２１の後面側に実装された指針駆動部２２と、基板本体２１の表面側に実装された発光素子２４，２５と、を備えており、表示板４０の後側に配置されている。
【００１１】
基板本体２１は、平板状のガラスエポキシ系基材に、指針駆動部２２を駆動させる駆動回路、発光素子２４，２５を発光させる発光回路等を形成した硬質プリント基板からなる。駆動回路及び発光回路は、夫々、配線パターン，抵抗，コンデンサ等によって構成される。駆動回路は、制御部から供給される制御信号に基づいて、指針駆動部２２を駆動する。発光回路は、制御部から供給される制御信号に基づいて、発光素子２４，２５を発光させる。
【００１２】
指針駆動部２２は、可動磁石式駆動装置，ステッピングモータ等からなるものである。指針駆動部２２の回動軸２２ａは、基板本体２１に形成された貫通孔２１ａに挿入され、指針駆動部２２の回動軸２２ａには、指針１０が取り付けられる。指針１０のボス部１３は、表示板４０に形成された貫通孔４０ｃに挿入される。表示板４０の貫通孔４０ｃは、指針駆動部２２の回動軸２２ａに対応する個所に形成されており、正面視で円形状になっている。
【００１３】
基板本体２１の駆動回路は、制御部から供給される制御信号に基づいて、指針駆動部２２を駆動する。指針駆動部２２の回動軸２２ａは、制御信号に応じた回転角度で回動する。これによって、指針１０が車両速度に応じた所定の回転角度で回転し、指針１０の指示部１１が後述する指標部４１，４２を指示する。
【００１４】
発光素子２４，２５は、夫々、１個以上の発光ダイオード等によって構成される。発光素子２４は、表示板４０を透過照明する。発光素子２５は、指針１０の指示部１１を光輝させる。発光素子２４，２５は、制御部から供給される制御信号に基づいて駆動され、車両運転者によって操作されるイルミネーションスイッチ等に応じてオン／オフされる。
【００１５】
ケース体３０は白色の合成樹脂（例えば、ポリプロピレン）からなり、このケース体３０に回路基板２０が固定されている。ケース体３０は、垂直部３１，傾斜部３２，平行部３３，傾斜部３４，垂直部３５を有している。ケース体３０の垂直部３１は、円筒形状になっており、前端が表示板４０の後面に当接し、後端が回路基板２０の前面に当接している。ケース体３０の垂直部３１は、発光素子２４が発する照明光と、発光素子２５が発する照明光とが混合されることを防ぐ遮光壁になっている。
【００１６】
ケース体３０の傾斜部３２は、垂直部３１の外周面から逆円錐状に広がる形状になっている。ケース体３０の傾斜部３２は、発光素子２４が発した照明光を平行部３３，傾斜部３４に向けて反射させる。ケース体３０の平行部３３は、表示板４０と平行な平板形状になっている。ケース体３０の傾斜部３４は、逆円錐状になっており、平行部３３の外周端に連なっている。ケース体３０の傾斜部３４は、発光素子２４が発した照明光を表示板４０に向けて反射させる。ケース体３０の垂直部３５は、円筒形状になっており、後端が回路基板２０の前面に当接している。ケース体３０の垂直部３５は、傾斜部３４の外周端に連なっている。ケース体３０の垂直部３５は、前端が表示板４０の後面に当接し、後端が回路基板２０の前面に当接している。
【００１７】
表示板４０は、指標部４１，４２及び数字部４３を有している。表示板４０の指標部４１は、数字部４３の近傍に配置された主目盛部である。表示板４０の指標部４２は、主目盛部である指標部４１の中間位置に配置された副目盛部である。表示板４０の指標部４１，４２は、貫通孔４０ｃを中心とした円弧状に配置されており、発光素子２４が発した照明光によって透過照明される。
【００１８】
表示板４０は、透光性シートからなる基材４４に黒色層４５，白色層４６，シルバー層４７，反射層４８を印刷形成したものである。表示板４０は、絞り成形された環状の凸部４９を有している。表示板４０の凸部４９は、前面側に突出しており、裏面側から見ると凹んでいる。表示板４０の指標部４１，４２は、凸部４９に設けられている。表示板４０の中央には、液晶表示器５０の画像を視認する矩形の窓部４０ｄが形成されている。
【００１９】
液晶表示器５０は、２個の指針式計器（速度計及び回転計）の間に配置されている。液晶表示器５０は、液晶表示パネル５１，接続部材５２，光学シート５３，ケース体５４を有している。液晶表示パネル５１は、透明電極が形成された一対のガラス基板に液晶を封入した液晶セルの前後両面に偏光板を貼着したものである。液晶表示パネル５１には、積算走行距離等の車両情報が表示される。
【００２０】
接続部材５２は、金属ピンからなるものであり、一端が液晶表示パネル５１に電気的に接続され、他端が半田によって回路基板２０に電気的に接続されている。光学シート５３は、光拡散フィルム，輝度上昇フィルム等を適宜組み合わせてなるものであり、液晶表示パネル５１の後面に配設されている。ケース体５４は、白色の樹脂からなるものである。液晶表示パネル５１は、回路基板２０の前面に搭載された図示しない発光素子によって透過照明される。
【００２１】
次に、図４乃至図６に基づいて、表示板４０の凸部４９について詳述する。表示板４０の凸部４９に設けられた指標部４１は、基材４４の前面に形成された白色層４６からなるものである（図５参照）。一方、凸部４９の指標部４１，４２が設けられていない個所では、基材４４の前面に、シルバー層４７が形成されている（図６参照）。凸部４９の裏面側には、白色層からなる反射層４８が形成されている。反射層４８には、指標部４１に照明光を通過させる開口部４８ａが形成されている。
【００２２】
なお、図７に示すように、反射層４８に開口部４８ａが無くても良く、照明光Ｌを凸部４０の上端部に反射させることができ、照明光Ｌによって白色層４６からなる指標部４１が透過照明される。図８に示す比較例のように、反射層がない場合は、凸部４９の上端部が暗くなる虞がある。
【符号の説明】
【００２３】
１０    指針
２２    指針駆動部
２２ａ  回動軸
２４    発光素子
２５    発光素子
４０    表示板
４１    指標部
４８    反射層
４８ａ  開口部
４９    凸部
【図１】
2016057096.tif 000003
【図２】
2016057096.tif 000004
【図３】
2016057096.tif 000005
【図４】
2016057096.tif 000006
【図５】
2016057096.tif 000007
【図６】
2016057096.tif 000008
【図７】
2016057096.tif 000009
【図８】
2016057096.tif 000010